(57)【要約】【課題】金属材であるハウジングと、樹脂材であるチェーンガイドとの間で異音を発生することのないチェーンガイドを提供することを目的とする。【解決手段】チェーンを摺動させる帯状の摺動面部と前記チェーンが前記摺動面部から外れる事が無いように前記摺動面部の幅方向両側に設けられた側壁部とを備えた樹脂材製の本体部と、前記本体部を前記チェーンと金属材製ハウジングとの間に保持する為に前記本体部に一体的に設けた保持部とよりなるチェーンガイドにおいて、  前記保持部と前記ハウジングとの間にゴム状弾性材層を設けたことを特徴とする。【選択図】  図１
2011094692.tif 000002
【特許請求の範囲】
【請求項１】
チェーン（２０）を摺動させる帯状の摺動面部（１）と前記チェーン（２０）が前記摺動面部（１）から外れる事が無いように前記摺動面部（１）の幅方向両側に設けられた側壁部（２）とを備えた樹脂材製の本体部（３）と、前記本体部（３）を前記チェーン（２０）と金属材製ハウジング（５０）との間に保持する為に前記本体部（３）に一体的に設けた保持部（４）、（４）とよりなるチェーンガイド（７）において、
前記保持部（４）、（４）と前記ハウジング（５）との間にゴム状弾性材層（６）、（６）を設けたことを特徴とするチェーンガイド。
【請求項２】
前記保持部（４）、（４）が、前記本体部（３）の前記摺動面部（１）とは反対側の面に２箇所設けられていることを特徴とする請求項１記載のチェーンガイド。
【請求項３】
前記ゴム状弾性材層（６）、（６）が、前記保持部（４）、（４）に一体成形されていることを特徴とする請求項２記載のチェーンガイド。
【請求項４】
前記ゴム状弾性材層（６）、（６）を形成しているゴム材が、耐熱性と耐油性を備えていることを特徴とする請求項１〜３のいずれか一項に記載のチェーンガイド。
【請求項５】
チェーンガイド（７）が、内燃機関のカムチェーン用に使用されることを特徴とする請求項１〜４のいずれか一項に記載のチェーンガイド。
【発明の詳細な説明】
【技術分野】
【０００１】
本発明は、チェーンガイドに関する。
また、本発明は、動力伝達手段として使用されるチェーンの張りを緊張させるためのチェーンテンショナと共に使用され、チェーンの安定駆動を提供するチェーンガイドに関するものである。
【０００２】
更にまた、本発明は、内燃機関のカムチェーン用のガイドとして好適に用いられるチェーンガイドに関する。
【背景技術】
【０００３】
従来、チェーンの巻き掛け伝動手段を使用した機械装置においては、チェーンの張りが弛緩して動力伝達効率が低下するのを防止する為に、チェーンの張りを緊張させるためのチェーンテンショナとチェーンガイドが併設されている。
【０００４】
具体的には、図５に示す形で使用されている。
すなわち図５は、内燃機関のカムチェーン室を通る縦断面図であり、図の左方が前方である。
クランク軸１０およびドライブスプロケット１１は図の矢印の方向へ回転する。
カムチェーン２０を介して駆動されるドリブンスプロケット３１およびカムシャフト３０は矢印の方向へ回転させられる。
【０００５】
ドライブスプロケット１１によって引っ張られる側のカムチェーン２０に沿って、このカムチェーン２０を案内するチェーンガイド７０が設けてあり、カムチェーン室を構成しているハウジング５０側に固定されている。
このチェーンガイド７０は、図６乃至図８に示す様に、カムチェーン２０と摺動する側の断面は、略カムチェーン２０の幅に相当する凹溝となっており、カムチェーン２０は樹脂材製の本体部３００の溝底を摺動する摺動面部１００となっている。
そして、チェーン２０が摺動面部１００から外れる事が無いように、摺動面部１００の幅方向両側に側壁部２００が設けられる態様となっている。
また、チェーンガイド７０をハウジング５０側に当接して、固定する為の保持部４００、４００が、本体部３００の摺動面部１００とは反対側の面の長手方向端部（図上右端）と、略中央部の２箇所存在する。
【０００６】
一方、ドライブスプロケット１１によって押し出される側のカムチェーン２０に沿って、カムチェーンテンショナ９０が設けてある。
このチェーンテンショナ９０は、その下端部の取付部を中心として揺動可能に支持されている。
ハウジング５０を貫通してテンショナリフタ６０が設けられ、チェーン室内部に突出したプッシュロッド７１の先端でカムチェーンテンショナ２０に設けた受部８００を押し、押されたチェーンテンショナ９０がカムチェーン２０を押して、カムチェーン２０の弛みが防止されている。
【０００７】
ここで使用されているチェーンガイド７０は、従来、金属にゴムを焼き付け一体化したものが使用されていたが、近年、樹脂化が進んでいる。
そして、最近のチェーンガイド７０は、全体が樹脂材で成形されており、図６乃至図８に示す様に、本体部３００をチェーン２０と、シリンダブロックであるハウジング５０との間に保持している為に、樹脂材製の本体部３００に一体的に設けた樹脂材製の保持部４００、４００が直接ハウジング５０（図５参照）に接して、チェーンガイド７０を支持する構成となっている。
【０００８】
しかし、ハウジング５０は、アルミ等の金属材製であり、ハウジングの振動に伴い、金属材であるハウジング５０と、樹脂材であるチェーンガイド７０との間で異音を発生する問題を惹起した。
【先行技術文献】
【特許文献】
【０００９】
【特許文献１】特開２００４−１２４９９８号公報
【発明の概要】
【発明が解決しようとする課題】
【００１０】
本発明は、上述した問題点に鑑みてなされたものであり、金属材であるハウジングと、樹脂材であるチェーンガイドとの間で異音を発生することのないチェーンガイドを提供することを目的とする。
【課題を解決するための手段】
【００１１】
本発明のチェーンガイドは、チェーンを摺動させる帯状の摺動面部と前記チェーンが前記摺動面部から外れる事が無いように前記摺動面部の幅方向両側に設けられた側壁部とを備えた樹脂材製の本体部と、前記本体部を前記チェーンとハウジングとの間に保持する為に前記本体部に一体的に設けた保持部とよりなるチェーンガイドにおいて、
前記保持部と前記ハウジングとの間にゴム状弾性材層を設けたことを特徴とする。
【発明の効果】
【００１２】
本発明は、以下に記載されるような効果を奏する。
請求項１記載の発明のチェーンガイドによれば、金属材であるハウジングと、樹脂材であるチェーンガイドとの間で異音を発生することが無い。
請求項２記載の発明のチェーンガイドによれば、チェーンガイドがハウジング側と部分的に接触するタイプにおいて有効である。
【００１３】
請求項３記載の発明のチェーンガイドによれば、取付け、取外しが容易であり、製造コストも低く抑えられる。
請求項４記載の発明のガイドによれば、高い温度環境で、且つ油が付着する環境においても、長期間安定した機能を発揮出来る。
【００１４】
請求項５記載の発明のチェーンガイドによれば、内燃機関のカムチェーンに用いて特に有効である。
【図面の簡単な説明】
【００１５】
【図１】本発明に係るチェーンガイドの側面である。
【図２】図１のチェーンガイドの上面図である。
【図３】図１のＡ−Ａ断面図である。
【図４】図１のＢ−Ｂ断面図である。
【図５】チェーンガイドが適用される、内燃機関のカムチェーン室を通る要部縦断面図である。
【図６】従来技術に係るチェーンガイドの側面図である。
【図７】図６のチェーンガイドのＣ−Ｃ断面図である。
【図８】図６のチェーンガイドのＤ−Ｄ断面図である。
【発明を実施するための形態】
【００１６】
以下、本発明を実施するための最良の態様について、図に基づき説明する。
本発明に係る態様のチェーンガイドは、背景技術で説明致した図５と同様の形で使用されるものである。
そして、本発明に係る態様のチェーンガイドの基本的構成は、図１乃至図４に示す様に、チェーン２０を摺動させる帯状の摺動面部１と、チェーン２０が摺動面部１から外れる事が無いように摺動面部１の幅方向両側に設けられた側壁部２とを備えた樹脂材製の本体部３と、この本体部３をチェーン２０とハウジング５０との間に保持する為に（図５参照）、本体部３に一体的に設けた保持部４、４とよりなり、更にこの保持部４、４とハウジング５との間にゴム状弾性材層６、６を設けたものである。
【００１７】
そして、この保持部４、４は、本体部３の摺動面部１とは反対側の面の長手方向端部（図上右端）と、略中央部の２箇所存在する。
この保持部４、４には、ゴム状弾性材層６、６が一体成形されている。
このため、樹脂材製の保持部４、４は、直接ハウジング５０に接することが無い。
【００１８】
また、チェーンガイド７が高熱で油が付着する内燃機関等の環境においては、耐熱性のゴム材であると共にエンジンオイルに対する耐油性も備えたゴム材が選択されるが、ニトリルゴム、アクリルゴムが好適に用いられる。
この意味で、本発明に係るチェーンガイド７は、内燃機関のカムチェーン用に好適に使用される。
【００１９】
また、本発明は上述の発明を実施するための最良の形態に限らず本発明の要旨を逸脱することなくその他種々の構成を採り得ることはもちろんである。
【符号の説明】
【００２０】
１    摺動面部
２    側壁部
３    本体部
４    保持部
６    ゴム状弾性材層
７    チェーンガイド
【図１】
2011094692.tif 000003
【図２】
2011094692.tif 000004
【図３】
2011094692.tif 000005
【図４】
2011094692.tif 000006
【図５】
2011094692.tif 000007
【図６】
2011094692.tif 000008
【図７】
2011094692.tif 000009
【図８】
2011094692.tif 000010